(57)【要約】【課題】目視による真偽判定を容易かつ確実に実行でき、さらに偽造品の製造をより困難にする。【解決手段】光透過性を有する基材１１と、基材表面の少なくとも一部の領域に形成され、ストライプ状に交互に配置された複数の凸部と複数の底部からなるレリーフ型の回折格子と、各凸部を構成する両側の傾斜面のうちの少なくとも片側の傾斜面上にそれぞれ形成され、所定の方向へ回折光Ｌ２1を射出するための複数の光反射層１４と、各光反射層１４同士の間にそれぞれ形成され、基材１１が露出されてなる複数の光透過面１５とを備えたＯＶＤ媒体１０及びＯＶＤ媒体が貼付された情報印刷物並びにＯＶＤ媒体の製造方法を用いる。【選択図】      図３
2008107483.tif 000002
【特許請求の範囲】
【請求項１】
ＯＶＤ媒体であって、
光透過性を有する基材と、
前記基材表面の少なくとも一部の領域に形成され、ストライプ状に交互に配置された複数の凸部と複数の底部からなるレリーフ型の回折格子と、
前記各凸部を構成する両側の傾斜面のうちの少なくとも片側の傾斜面上にそれぞれ形成され、所定の方向へ回折光を射出するための複数の光反射層と、
前記各光反射層同士の間にそれぞれ形成され、前記基材が露出されてなる複数の光透過面と
を備えたことを特徴とするＯＶＤ媒体。
【請求項２】
請求項１に記載のＯＶＤ媒体において、
前記各光反射層は、前記各凸部の両側の傾斜面上にそれぞれ形成されており、
前記各底部は、前記基材表面に略平行な平坦面を有することを特徴とするＯＶＤ媒体。
【請求項３】
請求項１に記載のＯＶＤ媒体において、
前記各光反射層は、前記各凸部の両側の傾斜面のうちの片側の傾斜面上のみにそれぞれ形成されており、
前記各底部は、前記基材表面に略平行な平坦面を有することを特徴とするＯＶＤ媒体。
【請求項４】
請求項３に記載のＯＶＤ媒体において、
前記各光反射層が形成される片側の傾斜面は、それぞれ反対側の傾斜面よりも緩やかな傾斜を有しており、前記回折格子はブレーズド格子であることを特徴とするＯＶＤ媒体。
【請求項５】
請求項２乃至請求項４のいずれか１項に記載のＯＶＤ媒体において、
前記各凸部の頂上同士の間隔と、当該各凸部の間の前記平坦面の幅との比率が前記回折格子の一部又は全部において変化していることを特徴とするＯＶＤ媒体。
【請求項６】
請求項１乃至請求項５のいずれか１項に記載のＯＶＤ媒体において、
前記各凸部の頂上同士の間隔が前記回折格子の一部又は全部において変化していることにより、前記回折光による画像が構成されることを特徴とするＯＶＤ媒体。
【請求項７】
請求項１乃至請求項６のいずれか１項に記載のＯＶＤ媒体において、
前記各凸部の頂上に沿った格子線方向が前記回折格子の一部又は全部において変化していることにより、前記回折光による画像が構成されることを特徴とするＯＶＤ媒体。
【請求項８】
請求項１乃至請求項７のいずれか１項に記載のＯＶＤ媒体が貼付された情報印刷物において、
シート状又は平板状の情報印刷基材と、
前記情報印刷基材上に印刷形成された印刷層と、
前記回折格子が形成された面を前記印刷層に貼り付けるようにして、前記印刷層の一部又は全部に貼付された前記ＯＶＤ媒体と
を備えたことを特徴とする、ＯＶＤ媒体が貼付された情報印刷物。
【請求項９】
請求項１、請求項３及び請求項４のいずれか１項に記載のＯＶＤ媒体を製造するためのＯＶＤ媒体の製造方法において、
前記基材上に前記回折格子を形成する工程と、
対象とする各凸部の頂上に沿った格子線方向を水平方向としつつ、当該各凸部の形成された面を斜め下方に向ける工程と、
前記斜め下方に向いた面に対し、前記各光反射層となる金属膜を真空蒸着法又はスパッタ法により形成する工程と
を備えたことを特徴とするＯＶＤ媒体の製造方法。
【請求項１０】
請求項１乃至請求項７のいずれか１項に記載のＯＶＤ媒体を製造するためのＯＶＤ媒体の製造方法において、
前記基材上に前記回折格子を形成する工程と、
前記回折格子の形成された面に対し、前記各光反射層が形成される面を露出させ且つ前記各光透過面が形成される面を隠蔽するためのマスク部材を装着する工程と、
前記装着されたマスク部材を下方に向けるように、前記基材を保持する工程と、
前記回折格子の形成された面に対し、前記マスク部材を介して、前記各光反射層となる金属膜を真空蒸着法又はスパッタ法により形成する工程と
を備えたことを特徴とするＯＶＤ媒体の製造方法。
【発明の詳細な説明】
【技術分野】
【０００１】
本発明は、ＯＶＤ媒体及びＯＶＤ媒体が貼付された情報印刷物並びにＯＶＤ媒体の製造方法に係り、例えば、目視による真偽判定を容易かつ確実に実行でき、さらに偽造品の製造をより困難にし得るＯＶＤ媒体及びＯＶＤ媒体が貼付された情報印刷物並びにＯＶＤ媒体の製造方法に関する。
【背景技術】
【０００２】
近年、商品券や小切手等の有価証券類やクレジットカードやキャッシュカード、ＩＤカード等のカード類、パスポートや免許証等の証明書類（以下、情報印刷物という）の偽造防止策として、通常の印刷物とは異なる視覚効果をもつＯＶＤ媒体(Optical Variable Device)を情報印刷物の表面に貼り付ける方式が広く用いられている。
【０００３】
回折格子を用いたＯＶＤ媒体は、光を回折させる方向や角度、明るさ等を制御することで、観察する領域に応じて、表示画像を変化させることや、立体像を表示することが可能である。回折格子を用いたＯＶＤ媒体は、通常の印刷技術では表現できない指向性のある光沢を有することから、偽造防止策が必要な情報印刷物に貼り付けられているが、より偽造されにくいセキュリティ機能を実現することが求められている。
【０００４】
回折格子のパラメータとしては、（１）回折格子の空間周波数（格子線の間隔）、（２）回折格子の方向（格子線の方向）、（３）回折格子の描画領域、の３つがある。
【０００５】
ＯＶＤ媒体では、回折格子のパラメータ（１）に応じて、定点に対してその回折格子が光って見える色が変化し、パラメータ（２）に応じて、その回折格子が光って見える方向が変化し、パラメータ（３）に応じて、表示画像（絵柄や文字、記号等）が決定される。
【０００６】
レリーフ型の回折格子としては、図２０に示す如き、加工の容易さから一般的に用いられる正弦波状回折格子１や、図２１に示す如き、視認性の高さからセキュリティ用途に一層好適なブレーズド格子２が広く知られている。
【０００７】
正弦波状回折格子１は、正弦波状の断面形状を有しており、典型的な格子線間隔が０．５〜２μｍ程度、格子深さが０．１〜１μｍ程度となっている。なお、この正弦波状の断面形状を有する回折格子はバイナリー格子と呼ばれている。
【０００８】
一方、ブレーズド格子２は、鋸歯状の断面形状を有しており、典型的な格子線間隔や格子深さがバイナリー格子と同等である。但し、ブレーズド格子２は、垂直方向からの入射光に対し回折角度と傾斜面による光の反射角とが一致した場合、その一致した角度の方向に理論上回折効率が１００％である回折光が生じ、他の角度には光が射出されないという光学作用がある。
【０００９】
すなわち、ブレーズド格子２は、バイナリー格子と比較して非常に高い回折効率を得ることができ、また光の進行角度を厳密に制御できることから、前述したように、セキュリティ用途に好適なものとなっている。
【００１０】
この回折格子を用いたＯＶＤ媒体の原版を作製する方法としては、電子ビーム露光装置を用い、かつコンピュータ制御により、感光性レジストが塗布された平面状の基板が載置されたＸ−Ｙステージを移動させて、基板の表面に回折格子を形成する方法がある（例えば特許文献１、２参照）。
【００１１】
ブレーズド格子の原版の作製においても、電子ビーム露光装置を用い、かつ、コンピュータ制御により、ステージ上に載置された平面状の基板にブレーズド格子の形状を構成していく方法が用いられる。ブレーズド格子の鋸歯状の断面形状を形成するために、例えば、電子線の照射位置に応じて電子ビームの照射時間を変化させたり、照射強度を調整したりして、加工される溝の深さを変化させ、ブレーズド格子の形状を得る方法が提案されている（例えば特許文献３参照）。
【００１２】
ブレーズド格子の他の作製方法としては、複数枚のマスクパターンを用いてイオンビームによりエッチングする方法等が知られている。
【００１３】
いずれのブレーズド格子の作製方法も、バイナリー格子と比較して作製技術の難易度が高いので、作製技術の面においてもセキュリティ用途に適している。
【００１４】
また、回折格子の原版を作製する別の方法としては、非特許文献１に記載のようにレーザーの２光束干渉により干渉縞（回折格子と同義）を露光する方法が知られている。
【００１５】
次に、以上のいずれかの方法により作製されたＯＶＤ媒体の原版から、電鋳等の方法により金属製のスタンパーを作製し、この金属製スタンパーを母型として透明基材上に熱可塑性樹脂や光硬化性樹脂を塗布し、金属製スタンパーを密着させ、熱や光を与えることで樹脂を硬化させ、回折格子を用いたＯＶＤ媒体を複製する。
【００１６】
そして、複製されたＯＶＤ媒体は通常透明であるので、アルミニウム等の金属や誘電体の薄膜層を真空中で蒸着する等の方法により、回折格子表面に光反射層を設けた後、紙やプラスチックフィルム等の基材上に接着層を介して貼り付けられる。また、必要により、印刷層や、汚れ・傷の防止用の保護層が設けられ、有価証券類やカード類が作製される。
【特許文献１】特開平２−７２３２０号公報
【特許文献２】米国特許第５，０５８，９９２号明細書
【特許文献３】特開２０００−３９５０８号公報
【非特許文献１】辻内順平著，「ホログラフィー」，第１版，丸善株式会社，１９９３年
【発明の開示】
【発明が解決しようとする課題】
【００１７】
しかしながら、回折格子を用いたＯＶＤ媒体はセキュリティ性が求められる多くの情報印刷物に用いられるようになり、技術が広く認知されるのに伴って偽造品の発生が増加する傾向にある。このため、従来のＯＶＤ媒体を情報印刷物の表面に貼り付けただけでは、十分な偽造防止効果を発揮できなくなってきている。従って、本発明者の検討によれば、目視による真偽判定を容易かつ確実に実行でき、さらに偽造品の製造をより困難にし得るようなＯＶＤ媒体の実現が望まれていると考えられる。
【００１８】
本発明は上記実情を考慮してなされたもので、目視による真偽判定を容易かつ確実に実行でき、さらに偽造品の製造をより困難にし得るＯＶＤ媒体及びＯＶＤ媒体が貼付された情報印刷物並びにＯＶＤ媒体の製造方法を提供することを目的としている。
【課題を解決するための手段】
【００１９】
請求項１に対応する発明は、ＯＶＤ媒体であって、光透過性を有する基材と、前記基材表面の少なくとも一部の領域に形成され、ストライプ状に交互に配置された複数の凸部と複数の底部からなるレリーフ型の回折格子と、前記各凸部を構成する両側の傾斜面のうちの少なくとも片側の傾斜面上にそれぞれ形成され、所定の方向へ回折光を射出するための複数の光反射層と、前記各光反射層同士の間にそれぞれ形成され、前記基材が露出されてなる複数の光透過面とを備えたＯＶＤ媒体である。
【００２０】
また、請求項２に対応する発明は、請求項１に対応するＯＶＤ媒体において、前記各光反射層としては、前記各凸部の両側の傾斜面上にそれぞれ形成されており、前記各底部としては、前記基材表面に略平行な平坦面を有するＯＶＤ媒体である。
【００２１】
さらに、請求項３に対応する発明は、請求項１に対応するＯＶＤ媒体において、前記各光反射層としては、前記各凸部の両側の傾斜面のうちの片側の傾斜面上のみにそれぞれ形成されており、前記各底部としては、前記基材表面に略平行な平坦面を有するＯＶＤ媒体である。
【００２２】
また、請求項４に対応する発明は、請求項３に対応するＯＶＤ媒体において、前記各光反射層が形成される片側の傾斜面としては、それぞれ反対側の傾斜面よりも緩やかな傾斜を有しており、前記回折格子がブレーズド格子であるＯＶＤ媒体である。
【００２３】
さらに、請求項５に対応する発明は、請求項２乃至請求項４のいずれか１項に対応するＯＶＤ媒体において、前記各凸部の頂上同士の間隔と、当該各凸部の間の前記平坦面の幅との比率が前記回折格子の一部又は全部において変化しているＯＶＤ媒体である。
【００２４】
また、請求項６に対応する発明は、請求項１乃至請求項５のいずれか１項に対応するＯＶＤ媒体において、前記各凸部の頂上同士の間隔が前記回折格子の一部又は全部において変化していることにより、前記回折光による画像が構成されるＯＶＤ媒体である。
【００２５】
さらに、請求項７に対応する発明は、請求項１乃至請求項６のいずれか１項に対応するＯＶＤ媒体において、前記各凸部の頂上に沿った格子線方向が前記回折格子の一部又は全部において変化していることにより、前記回折光による画像が構成されるＯＶＤ媒体である。
【００２６】
また、請求項８に対応する発明は、請求項１乃至請求項７のいずれか１項に対応するＯＶＤ媒体が貼付された情報印刷物において、シート状又は平板状の情報印刷基材と、前記情報印刷基材上に印刷形成された印刷層と、前記回折格子が形成された面を前記印刷層に貼り付けるようにして、前記印刷層の一部又は全部に貼付された前記ＯＶＤ媒体とを備えた、ＯＶＤ媒体が貼付された情報印刷物である。
【００２７】
さらに、請求項９に対応する発明は、請求項１、請求項３及び請求項４のいずれか１項に対応するＯＶＤ媒体を製造するためのＯＶＤ媒体の製造方法において、前記基材上に前記回折格子を形成する工程と、対象とする各凸部の頂上に沿った格子線方向を水平方向としつつ、当該各凸部の形成された面を斜め下方に向ける工程と、前記斜め下方に向いた面に対し、前記各光反射層となる金属膜を真空蒸着法又はスパッタ法により形成する工程とを備えたＯＶＤ媒体の製造方法である。
【００２８】
また、請求項１０に対応する発明は、請求項１乃至請求項７のいずれか１項に対応するＯＶＤ媒体を製造するためのＯＶＤ媒体の製造方法において、前記基材上に前記回折格子を形成する工程と、前記回折格子の形成された面に対し、前記各光反射層が形成される面を露出させ且つ前記各光透過面が形成される面を隠蔽するためのマスク部材を装着する工程と、前記装着されたマスク部材を下方に向けるように、前記基材を保持する工程と、前記回折格子の形成された面に対し、前記マスク部材を介して、前記各光反射層となる金属膜を真空蒸着法又はスパッタ法により形成する工程とを備えたＯＶＤ媒体の製造方法である。
【００２９】
（作用）
従って、請求項１に対応する発明は以上のような手段を講じたことにより、レリーフ型の回折格子の各凸部の少なくとも片側の傾斜面上に光反射層を形成し、各光反射層同士の間に基材が露出されてなる光透過面を備えた構造により、ＯＶＤ媒体を観察する方向を変えることにより、光反射層から射出される回折光による表示と、光透過面を透過した光によるＯＶＤ媒体の下面に設けられた印刷画像等の表示とを切り替えて観察することができる。
【００３０】
このような表示切り替え機能を有するＯＶＤ媒体は、例えばカラーコピーによる偽造方法や、銀紙を加工する偽造方法によっては、偽造品を製造することができない。
【００３１】
従って、このような表示切り替え機能を有するＯＶＤ媒体を偽造防止策に用いることにより、目視による真偽判定を容易かつ確実に実行でき、さらに偽造品の製造をより困難にすることができる。
【００３２】
また、請求項２に対応する発明は、各光反射層が両側の傾斜面上にそれぞれ形成されており、各底部が平坦面を有することにより、請求項１に対応する作用に加え、平坦面の無い凹凸構造と比較して、平坦面がより広い面積で光を透過させるため、ＯＶＤ媒体の下部の様子をより一層明確に認識することができる。
【００３３】
さらに、請求項３に対応する発明は、各光反射層が片側の傾斜面上のみにそれぞれ形成されており、各底部が平坦面を有することにより、請求項１に対応する作用に加え、光反射層による回折光の表示から光透過面による透過光の表示に切り替えた際に、光透過性を持つ反対側の傾斜面と平坦面とのより広い領域でＯＶＤ媒体の下部の様子を観察できる。
【００３４】
また、請求項４に対応する発明は、回折格子をブレーズド格子としたことにより、請求項３に対応する作用に加え、ブレーズド格子がバイナリー格子と比較して観察位置における回折光の光量が高く、製造も困難であることから、高い偽造防止効果を期待することができる。
【００３５】
さらに、請求項５に対応する発明は、各凸部の頂上同士の間隔と、当該各凸部の間の平坦面の幅との比率が回折格子の一部又は全部において変化していることにより、請求項２〜４のいずれかに対応する作用に加え、光反射層からの回折光成分と、光透過面からの透過光成分との比率を制御することができる。
【００３６】
また、請求項６に対応する発明は、各凸部の頂上同士の間隔が回折格子の一部又は全部において変化していることにより、回折光による画像が構成されるので、請求項１〜５のいずれかに対応する作用に加え、ＯＶＤ媒体の偽造防止効果をより一層向上させることができ、さらに、意匠性の向上を期待することができる。
【００３７】
さらに、請求項７に対応する発明は、各凸部の頂上に沿った格子線方向が回折格子の一部又は全部において変化していることにより、回折光による画像が構成されるので、請求項１〜６のいずれかに対応する作用に加え、ＯＶＤ媒体の偽造防止効果をより一層向上させることができ、さらに、意匠性の向上を期待することができる。
【００３８】
また、請求項８に対応する発明は、印刷層の一部又は全部に貼付されたＯＶＤ媒体を備えたことにより、請求項１〜７のいずれかに対応する作用を奏する情報印刷物を実現できる。
【００３９】
さらに、請求項９に対応する発明は、各凸部の頂上に沿った格子線方向を水平方向としつつ、当該各凸部の形成された面を斜め下方に向けた状態で、各光反射層となる金属膜を真空蒸着法又はスパッタ法により形成することにより、請求項１，３，４のいずれかに対応する作用を奏するＯＶＤ媒体を製造することができる。
【００４０】
また、請求項１０に対応する発明は、回折格子の形成された面に、各光反射層が形成される面を露出させ且つ各光透過面が形成される面を隠蔽するためのマスク部材を装着し、このマスク部材を下方に向けた状態で、各光反射層となる金属膜を真空蒸着法又はスパッタ法により形成することにより、請求項１〜７のいずれかに対応する作用を奏するＯＶＤ媒体を製造することができる。
【発明の効果】
【００４１】
以上説明したように本発明によれば、目視による真偽判定を容易かつ確実に実行でき、さらに偽造品の製造をより困難にできる。
【発明を実施するための最良の形態】
【００４２】
以下、本発明の各実施形態について図面を用いて説明する。  
（第１の実施形態）
図１は本発明の第１の実施形態に係るＯＶＤ媒体の概略構成を示す斜視図であり、図２は図１のＡ−Ａ線矢視断面図である。このＯＶＤ媒体１０は、本実施形態に係る回折格子が形成された領域ｒ１と、この領域ｒ１の格子線ｇｌの方向とは異なる格子線方向の回折格子が形成された他の領域ｒ２とを備えている。なお、他の領域ｒ２は、本実施形態の領域ｒ１とは互いに前述した回折格子パラメータ（１）〜（３）のいずれかが異なるものであればよいので、必ずしも格子線ｇｌの方向が異なるものでなくてもよい。また、他の領域ｒ２は１つである必要は無く、後述する図１３に示すように、任意の複数領域が使用可能となっている。すなわち、本実施形態に係る回折格子が形成される領域ｒ１は、ＯＶＤ媒体１０の全面に形成されるものではなく、偽造防止性を向上させる観点から、他の偽造防止用の領域ｒ２と併用されるように形成されている。
【００４３】
領域ｒ１内のＯＶＤ媒体１０は、光透過性を有する基材１１と、基材１１表面の少なくとも一部の領域ｒ１に形成され、ストライプ状に交互に配置された複数の凸部１２と複数の底部１３からなるレリーフ型の回折格子と、各凸部１２を構成する両側の傾斜面１２ａ，１２ｂのうちの少なくとも片側の傾斜面１２ａ上にそれぞれ形成され、所定の方向へ回折光を射出するための複数の光反射層１４と、各光反射層１４同士の間にそれぞれ形成され、基材１１が露出されてなる複数の光透過面１５とを備えている。
【００４４】
ここで、各凸部１２及び各底部１３からなる凹凸構造は、周期的な正弦波状の断面形状を有しており、例えば、典型的な格子線間隔０．５〜２μｍ程度、格子深さ０．１〜１μｍ程度の寸法に形成されている。各底部１３は、各凸部１２間（を溝と見た場合の溝）の最深部を意味しており、本実施形態のように凹凸構造が正弦波状の断面形状を持つ場合、格子線に沿って略線状に配置される。また、各底部１３は、以下の各実施形態の場合には、格子線に沿って帯状に配置される。また、各傾斜面１２ａ，１２ｂの境界は凸部１２の頂上１２ｔとなっている。凸部１２の頂上１２ｔに沿った方向は格子線ｇｌの方向となっている。換言すると、ＯＶＤ媒体１０を構成する回折格子は、複数の格子線ｇｌが周期性をもって配置された構造となっている。この回折格子の個々の凹凸構造がそれぞれ光反射層１４と、光透過面１５の組み合わせによって構成されている。
【００４５】
各光反射層１４は、各凸部１２を構成する片側の傾斜面１２ａ上と、この傾斜面１２ａに連続して反対側の傾斜面１２ｂの上方から途中の高さまで形成されている。
【００４６】
次に、以上のように構成されたＯＶＤ媒体の作用について説明する。  
図３に示すように、ＯＶＤ媒体１０においては、例えば垂直に入射光Ｌ１が入射した場合、空間周波数（格子線の間隔）及び入射光Ｌ１の波長、入射角度によって一意に定められる角度に±ｎ次の回折光Ｌ２1〜Ｌ２n，Ｌ２-1〜Ｌ２-nが射出される。
【００４７】
＋１次回折光Ｌ２1が射出される位置Ｐ１において、ＯＶＤ媒体１０を観察すると、明るく光沢のある回折光Ｌ２1が観察される。
【００４８】
また、回折光が射出されない、もしくは回折光が少ない位置Ｐ２において、ＯＶＤ媒体１０を観察すると、回折光が観察されず、光反射層１４の色が認識される。
【００４９】
一方、−１次回折光Ｌ２-1が射出される位置Ｐ３において、ＯＶＤ媒体１０を観察すると、明るく光沢のある回折光Ｌ２-1が観察される。
【００５０】
また、回折光が射出されない位置Ｐ４において、ＯＶＤ媒体１０を観察すると、回折光が観察されず、さらに、回折格子の光透過面１５を通して、ＯＶＤ媒体１０の下部の様子を観察することができる。
【００５１】
上述したように本実施形態によれば、レリーフ型の回折格子の各凸部１２の少なくとも片側の傾斜面１２ａ上に光反射層１４を形成し、各光反射層１４同士の間に基材１１が露出されてなる光透過面１５を備えた構造により、ＯＶＤ媒体１０を観察する方向を変えることにより、光反射層１４から射出される回折光による表示と、光透過面１５を透過した光によるＯＶＤ媒体１０の下面に設けられた印刷画像等の表示とを切り替えて観察することができる。
【００５２】
このような表示切り替え機能を有するＯＶＤ媒体１０は、例えばカラーコピーによる偽造方法や、銀紙を加工する偽造方法によっては、偽造品を製造することができない。
【００５３】
従って、このような表示切り替え機能を有するＯＶＤ媒体１０を偽造防止策に用いることにより、目視による真偽判定を容易かつ確実に実行でき、さらに偽造品の製造をより困難にすることができる。
【００５４】
（第２の実施形態）
図４は本発明の第２の実施形態に係るＯＶＤ媒体の構成を説明するための断面図であり、具体的には図１のＡ−Ａ線矢視断面図であって、図２と同一部分には同一符号を付してその詳しい説明を省略し、ここでは異なる部分について主に述べる。なお、以下の各実施形態も同様にして重複した部分の説明を省略する。
【００５５】
すなわち、本実施形態は、第１の実施形態の変形例であり、各光反射層１４が、各凸部１４の両側の傾斜面１２ｂ、１２ｂ上にそれぞれ形成されており、各底部１３が、基材１１表面に略平行な平坦面１６を有する構成となっている。
【００５６】
換言すると、ＯＶＤ媒体１０は、格子線ｇｌを構成する凸部１２と、平坦面１６とが交互に配置された構成を有しており、凸部１２の片側の傾斜面１２ａと、反対側の傾斜面１２ｂとの両者には光反射層１４が形成されている。
【００５７】
次に、以上のように構成されたＯＶＤ媒体の作用について説明する。  
図５に示すように、ＯＶＤ媒体１０においては、例えば垂直に入射光Ｌ１が入射した場合、空間周波数（格子線の間隔）及び入射光Ｌ１の波長、入射角度によって一意に定められる角度に±ｎ次の回折光Ｌ２1〜Ｌ２n，Ｌ２-1〜Ｌ２-nが射出される。
【００５８】
＋１次回折光Ｌ２1が射出される位置Ｐ１において、ＯＶＤ媒体１０を観察すると、明るく光沢のある回折光が観察される。
【００５９】
また、回折光が射出されない、もしくは回折光が少ない位置Ｐ２において、ＯＶＤ媒体１０を観察すると、回折光が観察されず、光反射層１４の色が認識される。
【００６０】
一方、＋１次回折光Ｌ２1が射出される位置Ｐ３において、ＯＶＤ媒体１０を観察すると、＋１次回折光とほぼ同等の光量の、−１次回折光Ｌ２-1が観察される。
【００６１】
一方、この回折格子パターンを垂直上方から観察すると、回折光が観察されず、平坦面１６を透過した光によって回折格子パターンの下部の状況を観察することができる。
【００６２】
上述したように本実施形態によれば、各光反射層１４が両側の傾斜面１２ａ，１２ｂ上にそれぞれ形成されており、各底部１３が平坦面１６を有することにより、第１の実施形態と同様の効果に加え、平坦面の無い凹凸構造と比較して、平坦面１６がより広い面積で光を透過させるため、ＯＶＤ媒体１０の下部の様子をより一層明確に認識することができる。
【００６３】
（第３の実施形態）
図６は本発明の第３の実施形態に係るＯＶＤ媒体の構成を説明するための断面図であり、具体的には図１のＡ−Ａ線矢視断面図である。
【００６４】
本実施形態は、第１の実施形態の変形例であり、各光反射層１４が、各凸部１２の両側の傾斜面１２ａ，１２ｂのうちの片側の傾斜面１２ａ上のみにそれぞれ形成されており、各底部１３が基材１１表面に略平行な平坦面１６を有する構成となっている。
【００６５】
換言すると、ＯＶＤ媒体１０は、凸部１２の片側の傾斜面１２ａが光反射層１４を備え、反対側の傾斜面１２ｂ及び平坦面１６が光透過面１５となっている。
【００６６】
次に、以上のように構成されたＯＶＤ媒体の作用について説明する。  
図７に示すように、ＯＶＤ媒体１０においては、例えば垂直に入射光Ｌ１が入射した場合、空間周波数（格子線の間隔）及び入射光Ｌ１の波長、入射角度によって一意に定められる角度に±ｎ次の回折光Ｌ２1〜Ｌ２n，Ｌ２-1〜Ｌ２-nが射出される。
【００６７】
＋１次回折光Ｌ２1が射出される位置Ｐ１において、ＯＶＤ媒体１０を観察すると、明るく光沢のある回折光が観察される。
【００６８】
また、回折光が射出されない、もしくは回折光が少ない位置Ｐ２において、ＯＶＤ媒体１０を観察すると、回折光が観察されず、光反射層１４の色が認識される。
【００６９】
一方、位置Ｐ３では、各凸部１２の他方の傾斜面１２ｂが光反射層１４を有しない分、＋１次回折光よりも光量が低いものの、−１次回折光Ｌ２-1が観察される。
【００７０】
また、回折光が射出されない位置Ｐ４において、ＯＶＤ媒体１０を観察すると、凸部１２の他方の傾斜面１２ｂ及び平坦面１６が光透過性を有するため、回折光も光反射層１４の色も認識されることなく、ＯＶＤ媒体１０の下面からの透過光を認識することができる。
【００７１】
上述したように本実施形態によれば、各光反射層１４が片側の傾斜面１２ａ上のみにそれぞれ形成されており、各底部１３が平坦面１６を有することにより、第１の実施形態の効果に加え、光反射層１４による回折光の表示から光透過面１５による透過光の表示に切り替えた際に、光透過性を持つ傾斜面１２ｂと平坦面１６とのより広い領域でＯＶＤ媒体の下部の様子を観察できる。
【００７２】
なお、各凸部１２に設ける各光反射層１４は、図５に示すように全面に設けてもよく、図７に示すようにどちらか一方の傾斜面１２ａであってもよい。また、各凸部１２に部分的に光反射層１４を設けた場合であっても、回折光量が低下し回折光による表示が暗くなったり、回折光による表示とＯＶＤ媒体の下部の表示の切り替えが多少不鮮明になるものの、前述した表示切り替え機能を発揮することができる。
【００７３】
（第４の実施形態）
図８は本発明の第４の実施形態に係るＯＶＤ媒体の構成を説明するための断面図であり、具体的には図１のＡ−Ａ線矢視断面図である。
【００７４】
ここで、凹凸構造の間に形成される平坦面の広さを場所によって変化させることで、より偽造防止効果の高いＯＶＤ媒体を実現することができる。
【００７５】
本実施形態は、第２又は第３の実施形態の変形例であり、各凸部１２の頂上１２ｔ同士の間隔ｄと、当該各凸部１２の間の平坦面１６の幅ｗとの比率が回折格子の一部又は全部において変化している構成となっている。
【００７６】
詳しくは、ＯＶＤ媒体１０は、３つの領域ｒａ，ｒｂ，ｒｃにそれぞれ等しい間隔ｄで配置されたＯＶＤ媒体の凸部１２と平坦面１６を備えている。ここで、各凸部１２は、略正三角形状の断面形状を有し、両側の傾斜面１２ａ，１２ｂが互いに同様の斜面となってている。片側の傾斜面１２ａには光反射層１４が形成されており、反対側の傾斜面１２ｂは、光透過面１５となっている。
【００７７】
各凸部１２間の平坦面１６は、領域ｒａ，ｒｂ，ｒｃごとに異なる幅ｗａ，ｗｂ，ｗｃを有しており、この幅ｗａ，ｗｂ，ｗｃに対応して凸部１２の幅（ｄ−ｗａ，ｄ−ｗｂ，ｄ−ｗｃ）も変化している。領域ｒａの平坦面１６が最も広い幅ｗａを有し、領域ｒｃの平坦面１６が最も狭い幅ｗｃを有している。
【００７８】
各凸部１２の頂上１２ｔ同士の間隔ｄと、当該各凸部１２の間の平坦面１６の幅ｗａ，ｗｂ，ｗｃとの比率は、以下のように領域ｒａ，ｒｂ，ｒｃ毎に変化している（ｗａ／ｄ＞ｗｂ／ｄ＞ｗｃ／ｄ）。
【００７９】
次に、以上のように構成されたＯＶＤ媒体の作用について説明する。  
図９に示すように、例えば垂直上方位置Ｐ５からＯＶＤ媒体１０を観察した場合、領域ｒａについては、ＯＶＤ媒体１０の下面からの透過光Ｌａの割合が高く、光反射層１４からの反射光の割合は低くなる。
【００８０】
一方、領域ｒｃについては、ＯＶＤ媒体１０の下面からの透過光Ｌｃの割合が低く、光反射層１４からの反射光の割合が高くなる。
【００８１】
このように、平坦面１６の幅ｗａ，ｗｂ，ｗｃを変化させることにより、上方の観察位置Ｐ５に到達する反射光成分と透過光成分との比率を制御することができる。
【００８２】
上述したように本実施形態によれば、各凸部１２の頂上１２ｔ同士の間隔ｄと、当該各凸部１２の間の平坦面１５の幅ｗａ，ｗｂ，ｗｃとの比率が回折格子の一部又は全部において変化していることにより、第２又は第３の実施形態と同様の効果に加え、平坦面１６の幅ｗａ，ｗｂ，ｗｃに応じて、光反射層１４からの回折光成分と、光透過面１５からの透過光成分との比率を制御することができる。これにより、観察条件やＯＶＤ媒体の領域ごとに透過光量を変化させることが可能となり、ＯＶＤ媒体１０の下面に印刷層を有する情報印刷物を配置した場合、印刷層の情報を明確に表示でき、あるいは意図的に不鮮明に表示できるので、偽造防止効果を更に向上させることができる。
【００８３】
なお、本実施形態は、第２又は第３の実施形態（略正弦波断面形状の凸部１２をもつバイナリー格子）に限らず、光透過面１５が平坦面１６を含む構成であれば、以下の第５の実施形態（非対称三角形断面形状の凸部をもつブレーズド格子）のように、任意の実施形態に適用することができる。
【００８４】
（第５の実施形態）
図１０は本発明の第５の実施形態に係るＯＶＤ媒体の構成を説明するための断面図であり、具体的には図１のＡ−Ａ線矢視断面図である。
【００８５】
本実施形態は、第３の実施形態の変形例であり、各光反射層１４が形成される片側の傾斜面１２ａは、それぞれ反対側の傾斜面１２ｂよりも緩やかな傾斜を有しており、回折格子がブレーズド格子となっている。なお、ブレーズド格子は、任意の一方向にのみ強い回折光を射出し、それ以外の方向へはほとんど回折光を射出させないという特性がある。
【００８６】
詳しくは、本実施形態に係るブレーズド格子は、緩やかな傾斜面１２ａ及び相対的に急峻な傾斜面１２ｂからなる非対称の各凸部１２と、各凸部１２間に平坦面１６からなる底部１３を備えた構造となっている。緩やかな傾斜面１２ａ上には、光反射層１４が形成されている。急峻な傾斜面１２ｂ及び平坦面１６は、光透過面１５となっている。
【００８７】
次に、以上のように構成されたＯＶＤ媒体の作用について説明する。  
図１１に示すように、ブレーズド格子においては、緩やかな斜面１２ａが光反射層１４を有し、急峻な斜面１２ｂが光透過面１５となっている。
【００８８】
よって、観察位置Ｐ１において、ＯＶＤ媒体１０を観察すると、各光反射層１４から非常に輝度が高く光沢の強い回折光Ｌ２が射出される。一方、回折光が射出されない位置Ｐ４において、ＯＶＤ媒体１０を観察すると、ＯＶＤ媒体１０の下面からの透過光によって情報印刷物の印刷層の情報等を認識することができる。
【００８９】
上述したように本実施形態によれば、回折格子をブレーズド格子としたことにより、第３の実施形態と同様の効果に加え、ブレーズド格子がバイナリー格子と比較して観察位置Ｐ１における回折光Ｌ２の光量が高く、製造も困難であることから、高い偽造防止効果を期待することができる。
【００９０】
（第６の実施形態）
図１２は本発明の第６の実施形態に係るＯＶＤ媒体の構成を示す模式図である。  
本実施形態は、第１〜第５の実施形態の変形例であり、各凸部１２の頂上１２ｔ同士の間隔ｄが回折格子の一部又は全部において変化していることにより、回折光Ｌ２による画像が構成されるものである。また、各凸部１２の頂上１２ｔに沿った格子線ｇｌ方向が回折格子の一部又は全部において変化していることにより、回折光による画像が構成されるものである。
【００９１】
すなわち、本実施形態は、ＯＶＤ媒体１０を構成する回折格子の「空間周波数（格子線ｇｌの間隔ｄ）」及び「格子線方向」のいずれか一方又は両方を変化させた領域を形成することにより、回折格子によって画像Ｇ１を表現するものである。例えば、図１２に示すように、任意の自由形状から成る領域に空間周波数、格子線方向ｇｌが異なる回折格子が形成されることにより、表示画像Ｇ１を表示する方式を実現することができる。また、このように様々な回折格子で画像Ｇ１を表現することにより、ＯＶＤ媒体１０の偽造防止効果を向上できる。さらに、ＯＶＤ媒体１０による画像と、下面の印刷等による画像とを全く異なる絵柄とする方式や、あるいは関連性のある絵柄にする方式により、意匠性の向上を期待することができる。
【００９２】
上述したように本実施形態によれば、基材１１表面の領域毎に、回折格子の空間周波数、格子線方向を変化させた構成により、回折光による絵柄や文字、記号等の画像を表現するので、第１〜第５の実施形態の効果に加え、ＯＶＤ媒体の偽造防止効果をより一層向上させることができ、さらに、意匠性の向上を期待することができる。
【００９３】
（第７の実施形態）
図１３は本発明の第７の実施形態に係るＯＶＤ媒体の構成を示す模式図である。  
本実施形態は、第６の実施形態の変形例であり、基材１１表面をマトリクス状に分割した各領域ｒ１，ｒ２，ｒ３，…において、各凸部１２の頂上１２ｔ同士の間隔ｄが回折格子の一部又は全部において変化していることにより、回折光Ｌ２による画像が構成されるものである。また、これら各領域ｒ１，ｒ２，ｒ３，…において、各凸部１２の頂上１２ｔに沿った格子線ｇｌ方向が回折格子の一部又は全部において変化していることにより、回折光による画像が構成されるものである。
【００９４】
すなわち、本実施形態は、ＯＶＤ媒体１０を構成するマトリクス状の分割領域ｒ１，ｒ２，ｒ３，…毎に固有の空間周波数、格子線方向をもつ回折格子を配置して画像Ｇ２を表示するものである。
【００９５】
このようなＯＶＤ媒体１０に対し、照明光が入射することで、回折格子から様々な方向に様々な色の光が射出し、所定の観察位置において画像Ｇ２が観察される。また、このように様々な回折格子で画像Ｇ２を表現することにより、第６の実施形態と同様に、偽造防止効果を向上でき、さらに、意匠性の向上を期待することができる。
【００９６】
上述したように本実施形態によれば、基材１１表面をマトリクス状に分割した領域ｒ１，ｒ２，ｒ３，…毎に、回折格子の空間周波数、格子線方向を変化させた構成により、第１〜第５の実施形態の効果に加え、回折光による絵柄や文字、記号等の画像を表現するので、ＯＶＤ媒体の偽造防止効果をより一層向上させることができ、さらに、意匠性の向上を期待することができる。
【００９７】
（第８の実施形態）
図１４は本発明の第８の実施形態に係る情報印刷物の構成を示す平面図であり、図１５は図１４のＢ−Ｂ線矢視断面図である。
【００９８】
本実施形態は、第１〜第７の実施形態の応用例であり、各実施形態のうちの任意の実施形態のＯＶＤ媒体１０を貼り付けた情報印刷物２０となっている。但し、ＯＶＤ媒体１０は、図１４に示したような矩形のものに限らず、円形や楕円形のもの、情報印刷物２０上を横断又は縦断するような帯状のもの、情報印刷物の全面を覆い尽くすようなものなど様々な形態のものが貼付可能となっている。
【００９９】
ここで、情報印刷物２０は、シート状又は平板状の基材（情報印刷基材）２１と、基材２１上に印刷形成された印刷層２２と、回折格子が形成された面を印刷層２２に貼り付けるように接着層２３を介して、印刷層２２の一部（又は全部）に貼付されたＯＶＤ媒体１０と、ＯＶＤ媒体１０上に形成された保護層２４とを備えている。
【０１００】
基材２１は、例えば、紙もしくはプラスチック板、プラスチックフィルム等のシート状や平板状の基材が使用可能となっている。なお、情報印刷物２０がクレジットカードやＩＤカード等の場合、基材２１の反りを防止するための反り防止層や、印刷のインクの密着性を高めるためのインク密着層が設けられることもある。さらに基材２１上に別途磁気フィルム層等が設けられることもある。基材２１が紙である場合にも、必要に応じて様々な機能を有する層が設けられる。
【０１０１】
印刷層２２は、情報印刷物２０の用途に応じて、任意の絵柄や文字、記号等の情報が使用可能となっている。
【０１０２】
接着層２３は、例えば、予めＯＶＤ媒体１０の回折格子側の面に形成されてもよく、情報印刷物２０の印刷層２２上に形成されてもよい。
【０１０３】
保護層２４は、ＯＶＤ媒体１０を傷や汚れから保護するための層であり、必須ではないので省略してもよい。
【０１０４】
次に、以上のように構成された情報印刷物の作用について説明する。  
情報印刷物２０においては、ＯＶＤ媒体１０が光透過面１５を通してＯＶＤ媒体１０下方の印刷層２２を表示するので、印刷層に描かれた絵柄や文字、記号等の情報を視認でき、印刷層２２の意匠性が損なわれることや意匠上の制約を低減することができる。
【０１０５】
補足すると、従来のＯＶＤ媒体では、全面が光反射層である回折格子からなることから、ＯＶＤ媒体の直下の印刷層を一切視認できないので、ＯＶＤ媒体の直下には文字や、周囲の部分から連続している絵柄などをデザインすることは適さない。
【０１０６】
一方、本実施形態の情報印刷物２０においては、ＯＶＤ媒体１０の光透過面１５を通して直下の印刷層２２を視認できるので、意匠上の制約を低減することができる。
【０１０７】
これに加え、図６に示すＯＶＤ媒体１０の場合は特に、回折光による立体像の表示に適している。すなわち、図６に示すＯＶＤ媒体１０は、凸部１２の片側の傾斜面１２ａを光反射層とし、反対側の傾斜面１２ｂ及び平坦面１６を光透過面１５とした場合、＋ｎ次の回折光が観察される位置（例えば観察位置Ｐ１等）から観察した場合に限り、回折光による明るい画像が表示されるので、奥行き感のある立体像の表示に適している。
【０１０８】
一般に、回折格子で表現される立体像は、人物の胸像や動物等のキャラクター、企業のロゴマーク等が多く、それらは天地方向が予め定められ、観察する角度も予め決まっている。そして、それ以外の角度で立体像を観察することは一般的に稀である。
【０１０９】
そこで、立体像を観察する角度において、観察者の視界に入る格子線の凹凸構造の面には光反射層１４を設け、観察者の視界に入らない側の面には光透過面１５を配置することが好ましい。
【０１１０】
これにより、例えば図１６に示すように、情報印刷物２０の天地方向と立体像Ｇ３を観察する角度が同じ場合、ＯＶＤ媒体１０の領域には光反射層１４から射出された回折光Ｌ２による立体像Ｇ３が観察されるようにすることができる。逆に図１７に示すように、情報印刷物２０の天地方向を逆さまにして観察した場合には、ＯＶＤ媒体１０の領域には光透過面１５を通して印刷層２２の絵柄や文字等が観察されるようにすることができる。
【０１１１】
このような情報印刷物２０によれば、ＯＶＤ媒体１０の直下の印刷層２２の絵柄を観察できる角度が立体像Ｇ３の天地方向の情報により容易に判断できるため、真偽判定に不慣れな者でも確実に真偽判定を行うことができる。
【０１１２】
上述したように本実施形態によれば、印刷層の一部又は全部に貼付されたＯＶＤ媒体を備えたことにより、第１〜第７の実施形態の効果を有する情報印刷物を実現することができる。また、ＯＶＤ媒体１０直下の印刷層２２に描かれた絵柄や文字、記号等の情報を視認できるので、印刷層２２の意匠性が損なわれることや意匠上の制約を低減することができる。
【０１１３】
特に、図６に示したＯＶＤ媒体１０を貼り付ける場合、光反射層１４による立体像Ｇ３の表示と、光透過面１５による印刷層２２の表示との切り替えに適した情報印刷物を実現することができる。
【０１１４】
（第９の実施形態）
次に、本発明の第９の実施形態として、第１、第３〜第５の実施形態に係るＯＶＤ媒体を製造するための製造方法について説明する。なお、ここでは、第１、第３〜第５の実施形態に係るＯＶＤ媒体のうち、第３の実施形態に係るＯＶＤ媒体１０を代表例に挙げて製造方法を述べる。但し、他の第１，第４，第５の実施形態に係るＯＶＤ媒体１０も、ＯＶＤ媒体１０の全ての領域で格子線方向が互いに同一であれば、同様に実施できることは言うまでもない。
【０１１５】
始めに、基材１１上に回折格子を形成する。この回折格子は、例えば前述した特許文献１〜３又は非特許文献１記載の方法により形成することができる。  
続いて図１８に示すように、真空蒸着装置内において、対象とする各凸部１２の頂上１２ｔに沿った格子線ｇｌ方向を水平方向としつつ、当該各凸部１２の形成された面を斜め下方に向ける。
【０１１６】
これにより、各凸部１２のうち、片側の傾斜面１２ａが下方のルツボ３１内の蒸着用素材３２に対向し、反対側の傾斜面１２ｂが下方の蒸着用素材３２から隠蔽されるように配置される。
【０１１７】
しかる後、斜め下方に向いた面に対し、蒸着用素材３２を加熱、気化させる。これにより、各凸部１２の片側の傾斜面１２ａに対し、各光反射層１４となる金属膜が真空蒸着法により形成される。また、反対側の傾斜面１２ｂは、蒸着用素材３２から隠蔽された位置にあるので、金属膜が形成されず、光透過面１５となる。
【０１１８】
蒸着の完了により、光反射層１４と光透過面１５とが交互に配置されたＯＶＤ媒体１０が製造される。
【０１１９】
上述したように本実施形態によれば、各凸部１２の頂上１２ｔに沿った格子線ｇｌ方向を水平方向としつつ、当該各凸部１２の形成された面を斜め下方に向けた状態で、すなわち回折格子の形成された面を蒸着用素材３２に対して斜めに配置した状態で、光反射層１４となる金属膜を真空蒸着法で形成することにより、第１、第３〜第５の実施形態の効果を有するＯＶＤ媒体１０を製造することができる。また、複数の傾斜面１２ａに光反射層１４をまとめて形成することができるので、高い製造効率を実現することができる。
【０１２０】
なお、本実施形態は、真空蒸着法に限らず、スパッタ法でも同様に実施でき、同様の効果を得ることができる。なお、スパッタ法においても、回折格子を形成した基材１１を同様に配置し、真空中でターゲット物質あるいは陰極にイオンを衝撃させ、ターゲット物質あるいは陰極の表面からとび出した原子を、片側の傾斜面１２ａに堆積させればよい。このようにスパッタ法を用いても、反対側の傾斜面１２ｂは、ターゲット物質あるいは陰極から隠蔽された位置にあるので、金属膜が形成されず、光透過面１５となる。従って、スパッタの完了により、光反射層１４と光透過面１５とが交互に配置されたＯＶＤ媒体１０を製造することができる。
【０１２１】
（第１０の実施形態）
次に、本発明の第１０の実施形態として、第１〜第７の実施形態に係るＯＶＤ媒体を製造するための製造方法について説明する。なお、ここでは、第１〜第７の実施形態に係るＯＶＤ媒体のうち、第３の実施形態に係るＯＶＤ媒体１０を代表例に挙げて製造方法を述べる。但し、マスク部材３３の開口スリット３３ａを光透過面１５に対応させることにより、他の第１，第２，第４〜第６の実施形態に係るＯＶＤ媒体１０をも製造できることは言うまでもない。
【０１２２】
始めに、前述同様に、基材１１上に回折格子を形成する。続いて図１９に示すように、回折格子の形成された面に対し、各光反射層１４が形成される面を露出させ且つ各光透過面１５が形成される面を隠蔽するためのマスク部材３３を装着（密着固定）する。
【０１２３】
しかる後、真空蒸着装置においては、装着されたマスク部材３３を下方に向けるように、基材１１を保持する。これにより、各凸部１２のうち、片側の傾斜面１２ａが下方のルツボ３１内の蒸着用素材３２に対向し、反対側の傾斜面１２ｂが下方の蒸着用素材３２から隠蔽されるように配置される。
【０１２４】
しかる後、真空蒸着装置においては、回折格子の形成された面に対し、蒸着用素材３２を加熱、気化させる。これにより、気化した蒸着用素材３２がマスク部材３３の開口スリット３３ａを通過するので、各凸部１２の片側の傾斜面１２ａに対し、各光反射層１４となる金属膜が真空蒸着法により形成される。また、反対側の傾斜面１２ｂは、マスク部材３３により蒸着用素材３２から隠蔽された位置にあるので、金属膜が形成されず、光透過面１５となる。
【０１２５】
蒸着の完了により、光反射層１４と光透過面１５とが交互に配置されたＯＶＤ媒体１０が製造される。
【０１２６】
上述したように本実施形態によれば、回折格子の形成された面に、各光反射層１４が形成される面を露出させ且つ各光透過面１５が形成される面を隠蔽するための開口スリット３３ａを有するマスク部材３３を密着固定し、このマスク部材３３を下方に向けた状態で、光反射層１４となる金属膜を真空蒸着法で形成することにより、第１〜第７の実施形態の効果を有するＯＶＤ媒体１０を製造することができる。また、複数の傾斜面１２ａに光反射層１４をまとめて形成することができるので、高い製造効率を実現することができる。
【０１２７】
また、前述同様に、本実施形態は、真空蒸着法に限らず、スパッタ法でも同様に実施でき、同様の効果を得ることができる。
【０１２８】
また、本実施形態は、所望の光透過面１５に対応した開口スリット３３ａを有するマスク部材３３を用いることにより、第９の実施形態とは異なり、ＯＶＤ媒体１０の全ての領域で格子線方向が必ずしも同一でない場合でも、実施することができる。
【０１２９】
なお、本願発明は、上記実施形態そのままに限定されるものではなく、実施段階ではその要旨を逸脱しない範囲で構成要素を変形して具体化できる。例えば、本願発明における「レリーフ型の回折格子」は、入射した光を回折させ射出する機能を有するものとして述べており、同様の機能を有するレリーフ型のホログラムや干渉縞構造についても、本願発明の「レリーフ型の回折格子」に包含されるものとする。
【０１３０】
また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【０１３１】
【図１】本発明の第１の実施形態に係るＯＶＤ媒体の概略構成を示す斜視図である。
【図２】同実施形態における図１のＡ−Ａ線矢視断面図である。
【図３】同実施形態における作用を説明するための模式図である。
【図４】本発明の第２の実施形態に係るＯＶＤ媒体の構成を説明するための断面図である。
【図５】同実施形態における作用を説明するための模式図である。
【図６】本発明の第３の実施形態に係るＯＶＤ媒体の構成を説明するための断面図である。
【図７】同実施形態における作用を説明するための模式図である。
【図８】本発明の第４の実施形態に係るＯＶＤ媒体の構成を説明するための断面図である。
【図９】同実施形態における作用を説明するための模式図である。
【図１０】本発明の第５の実施形態に係るＯＶＤ媒体の構成を説明するための断面図である。
【図１１】同実施形態における作用を説明するための模式図である。
【図１２】本発明の第６の実施形態に係るＯＶＤ媒体の構成を示す模式図である。
【図１３】本発明の第７の実施形態に係るＯＶＤ媒体の構成を示す模式図である。
【図１４】本発明の第８の実施形態に係る情報印刷物の構成を示す平面図である。
【図１５】同実施形態における図１４のＢ−Ｂ線矢視断面図である。
【図１６】同実施形態における作用を説明するための模式図である。
【図１７】同実施形態における作用を説明するための模式図である。
【図１８】本発明の第９の実施形態に係るＯＶＤ媒体の製造方法を説明するための模式図である。
【図１９】本発明の第１０の実施形態に係るＯＶＤ媒体の製造方法を説明するための模式図である。
【図２０】一般的な正弦波状回折格子の構成を示す断面図である。
【図２１】一般的なブレーズド格子の構成を示す断面図である。
【符号の説明】
【０１３２】
１０…ＯＶＤ媒体、１１，２１…基材、１２…凸部、１２ａ，１２ｂ…傾斜面、１２ｔ…頂上、１３…底部、１４…光反射層、１５…光透過面、１６…平坦面、２０…情報印刷物、２２…印刷層、２３…接着層、２４…保護層、３１…ルツボ、３２…蒸着用素材、３３…マスク部材、３３ａ…開口スリット、ｒ１，ｒ２，ｒ３…領域、ｇｌ…格子線、Ｐ１〜Ｐ４…位置、Ｌ１…入射光、Ｌ２，Ｌ２1〜Ｌ２n，Ｌ２-1〜Ｌ２-n…回折光、ｄ…間隔、ｗａ〜ｗｃ…幅、Ｌａ…Ｌｃ…透過光、Ｇ１〜Ｇ３…画像。
【図１】
2008107483.tif 000003
【図２】
2008107483.tif 000004
【図３】
2008107483.tif 000005
【図４】
2008107483.tif 000006
【図５】
2008107483.tif 000007
【図６】
2008107483.tif 000008
【図７】
2008107483.tif 000009
【図８】
2008107483.tif 000010
【図９】
2008107483.tif 000011
【図１０】
2008107483.tif 000012
【図１１】
2008107483.tif 000013
【図１２】
2008107483.tif 000014
【図１３】
2008107483.tif 000015
【図１４】
2008107483.tif 000016
【図１５】
2008107483.tif 000017
【図１６】
2008107483.tif 000018
【図１７】
2008107483.tif 000019
【図１８】
2008107483.tif 000020
【図１９】
2008107483.tif 000021
【図２０】
2008107483.tif 000022
【図２１】
2008107483.tif 000023